(57)【要約】【課題】携帯電話などの薄型の筐体に内蔵で、開口部から露出したカメラ部材を覆いまたは開放する開閉扉を駆動させることができる磁気駆動装置を提供する。【解決手段】コイルＣ１とロック解除用のコイルＣ２が同時に通電されると、先に磁界Ｂ１によってロック部材２４がヨーク２１ａ，２１ｂに吸引されてロックが解除され、その後にマグネットＭによってコイルＣ１を貫く磁界によってスライド部材１５がＹ１方向へ移動させられる。通電を解除すると、ロック部材２４は、ヨーク２１ａ，２１ｂからの吸引力が消滅して、マグネットＭの吸引力によってロック状態に復帰させられる。【選択図】    図３
2004336101.tif 000002
【特許請求の範囲】
【請求項１】
板状の可動子と、前記可動子をその板面に沿って第１の位置と第２の位置との間で直線的に往復移動可能に支持する固定部と、前記可動子を前記第１の位置と第２の位置とへ移動させる第１の磁気駆動手段とを有する磁気駆動装置において、
前記第１の磁気駆動手段では、前記可動子と固定部との一方に、前記可動子の移動方向と交叉する方向へ電流が流れる電流路を有するコイルが、他方に前記電流路と対向するマグネットが設けられて、前記電流路に与えられる電流の方向に応じて、前記可動子が前記第１の位置と第２の位置へ駆動可能とされており、
前記可動子が、前記第１の位置と第２の位置の少なくとも一方に至ったときに、前記可動子をロックするロック手段が設けられていることを特徴とする磁気駆動装置。
【請求項２】
前記コイルは、このコイルに通電したときに、互いに逆向きに電流が与えられる第１の電流路と第２の電流路を有し、前記マグネットの前記コイルに対向する面は、第１の位置側と第２の位置側とで異なる極に着磁された２つの着磁面を有しており、前記可動子が第１の位置と第２の位置に有るときに、前記第１の電流路は常に一方の着磁面に対向し、前記第２の電流路は常に他方の着磁面に対向している請求項１記載の磁気駆動装置。
【請求項３】
前記ロック手段は、ロック部材と第２の磁気駆動手段とを有しており、
前記可動子にコイルが、前記固定部にマグネットが設けられて、可動子が第１の位置と第２の位置の少なくとも一方に至ったときに、前記マグネットからの磁界によりロック部材が動作させられて前記可動子がロックされ、前記第２の磁気駆動手段によって前記可動子が前記マグネットの磁界に対抗してロック解除方向へ動作させられる請求項１または２記載の磁気駆動装置。
【請求項４】
前記第２の磁気駆動手段にロック解除用のコイルが設けられて、このロック解除用のコイルと前記第１の磁気駆動手段のコイルとが接続されており、前記ロック部材は、前記可動子よりも質量が小さく、前記第１の磁気駆動手段のコイルと前記ロック解除用のコイルに共通に通電されたときに、先に質量の軽い前記ロック部材が動作してロックが解除され、その後に前記可動子が移動させられる請求項１ないし３のいずれかに記載の磁気駆動装置。
【請求項５】
筐体に内蔵された請求項１ないし４のいずれかに記載の磁気駆動装置と、前記筐体に形成された開口部から露出させられる撮像部材と、前記可動子に連結されて前記撮像部材を露出させて開口部を開放する開放姿勢と撮像部材を覆い開口部を閉鎖する閉鎖姿勢との間で移動させられる開閉扉が設けられており、前記可動子が一方の位置に至ったときに前記開閉扉が開放姿勢に設定され、前記可動子が他方の位置に至ったときに前記開閉扉が閉鎖姿勢に設定されることを特徴とするカメラ付き携帯情報端末。
【発明の詳細な説明】
【０００１】
【発明の属する技術分野】
本発明は、ロック機構を有する薄型の磁気駆動装置に係り、特に磁気駆動装置によりカメラレンズが露出する開口部を開閉できるカメラ付き携帯情報端末に関する。
【０００２】
【従来の技術】
近年、携帯電話等の携帯情報端末にカメラ機能が搭載された機種が多く市販される傾向にある。この種のカメラは、筐体に開口部が形成されて、この開口部からカメラのレンズが露出している。
【０００３】
カメラ付きの携帯情報端末が広く普及するにつれて、カメラのレンズが露出していることに伴う種々の問題が発生してきている。そのひとつは、レンズに埃が付着し易く、また傷が付き易くなることなどであり、もうひとつは、人や物などを盗み撮る行為が横行してきていることである。開口部を閉じてレンズを露出させないことで、第三者に対して撮影していないことを知らしめることができる。
【０００４】
そこで、例えば下記特許文献１と２に示すように、カメラのレンズを覆うカバーを設けて前記問題を解消するものが提案されている。特許文献１に記載のカバーは、コ字状に折り曲げた板材が設けられ、この板材で筐体を挟むようにして、カメラを覆う閉鎖状態とカメラを露出させる開放状態との間でスライド自在に支持するものである。特許文献２に示すカバーは、コ字状に折り曲げ形成した板材のそれぞれの端部に突起を設けて、この板材を筐体に形成された凹部に嵌着自在に取り付けたものである。
【０００５】
【特許文献１】
特開２００１−３０９００３号公報
【特許文献２】
特開２００２−２７１６６５号公報
【０００６】
【発明が解決しようとする課題】
しかし、特許文献１と２に示すものは、いずれも合成樹脂などで形成された板状の部材を携帯電話の筐体の外側から覆う形状のものであるため、厚み寸法などが大きくなって携帯性が損なわれる。また前記部材が携帯電話の外側に露出して、外観上の美観が損なわれる問題がある。
【０００７】
また特許文献１に示すものでは、筐体から露出するカメラレンズの側方に、開放状態のカバーが位置する領域を設ける必要がある。このため、筐体の外側に露出させる部材、例えばスピーカなどをずらして配置する必要性が生じる。さらに、カバーを開放状態と閉鎖状態の各状態でロックするロック手段も必要になる。また特許文献２に示すものは、カバーが着脱式のものであるため、カバーが脱落して紛失するおそれがある。
【０００８】
本発明は、上記従来の課題を解決するものであり、小型で薄型の筐体内に内蔵することができ、しかもロック機構が設けられた磁気駆動装置及びこれを用いたカメラ付き携帯情報端末を提供することを目的とする。
【０００９】
【課題を解決するための手段】
本発明は、板状の可動子と、前記可動子をその板面に沿って第１の位置と第２の位置との間で直線的に往復移動可能に支持する固定部と、前記可動子を前記第１の位置と第２の位置とへ移動させる第１の磁気駆動手段とを有する磁気駆動装置において、
前記第１の磁気駆動手段では、前記可動子と固定部との一方に、前記可動子の移動方向と交叉する方向へ電流が流れる電流路を有するコイルが、他方に前記電流路と対向するマグネットが設けられて、前記電流路に与えられる電流の方向に応じて、前記可動子が前記第１の位置と第２の位置へ駆動可能とされており、
前記可動子が、前記第１の位置と第２の位置の少なくとも一方に至ったときに、前記可動子をロックするロック手段が設けられていることを特徴とするものである。
【００１０】
例えば、前記コイルは、このコイルに通電したときに、互いに逆向きに電流が与えられる第１の電流路と第２の電流路を有し、前記マグネットの前記コイルに対向する面は、第１の位置側と第２の位置側とで異なる極に着磁された２つの着磁面を有しており、前記可動子が第１の位置と第２の位置に有るときに、前記第１の電流路は常に一方の着磁面に対向し、前記第２の電流路は常に他方の着磁面に対向している。
【００１１】
本発明の磁気駆動装置では、可動子、固定部、コイル及びマグネットを厚み寸法を小さくして配置できるので、装置を小型でしかも薄型にできる。
【００１２】
また、前記ロック手段は、ロック部材と第２の磁気駆動手段とを有しており、
前記可動子にコイルが、前記固定部にマグネットが設けられて、可動子が第１の位置と第２の位置の少なくとも一方に至ったときに、前記マグネットからの磁界によりロック部材が動作させられて前記可動子がロックされ、前記第２の磁気駆動手段によって前記可動子が前記マグネットの磁界に対抗してロック解除方向へ動作させられる構成にできる。
【００１３】
これにより、無通電時にロック状態に設定できるので、可動子が不用意に動作することがなく、また省電力化も図れる。
【００１４】
また、前記第２の磁気駆動手段にロック解除用のコイルが設けられて、このロック解除用のコイルと前記第１の磁気駆動手段のコイルとが接続されており、前記ロック部材は、前記可動子よりも質量が小さく、前記第１の磁気駆動手段のコイルと前記ロック解除用のコイルに共通に通電されたときに、先に質量の軽い前記ロック部材が動作してロックが解除され、その後に前記可動子が移動させられる構成にすることが好ましい。
【００１５】
第１の磁気駆動手段のコイルと第２の磁気駆動手段のコイルを同時に通電することができるので、制御を簡略化できる。また両コイルを１本のコイルで巻き形成することができる。
【００１６】
また本発明のカメラ付き携帯情報端末は、筐体に内蔵された請求項１ないし４のいずれかに記載の磁気駆動装置と、前記筐体に形成された開口部から露出させられる撮像部材と、前記可動子に連結されて前記撮像部材を露出させて開口部を開放する開放姿勢と撮像部材を覆い開口部を閉鎖する閉鎖姿勢との間で移動させられる開閉扉が設けられており、前記可動子が一方の位置に至ったときに前記開閉扉が開放姿勢に設定され、前記可動子が他方の位置に至ったときに前記開閉扉が閉鎖姿勢に設定されることを特徴とするものである。
【００１７】
前記磁気駆動装置をカメラ付き携帯情報端末に搭載することにより、外観に無用な凹凸を形成して携帯性を損なうことがなく、部品の脱落のおそれもない。またカメラレンズ表面を有効に保護することができる。
【００１８】
【発明の実施の形態】
図１は携帯情報端末の一つである携帯電話の内部構造の一例を示す側面図、図２は開閉扉が開放状態で且つロック状態のときを示す平面図、図３は開閉扉が開放状態で且つロック解除状態のときを示す平面図、図４は開閉扉が閉鎖状態でロック解除状態のときを示す平面図、図５は開閉扉が閉鎖状態でロック状態のときを示す平面図、図６は図２の６−６線での一部切断断面図、図７は第１の磁気駆動手段のコイルと第２の磁気駆動手段のコイルの回路図である。
【００１９】
図１に示す携帯電話１０は、操作部５が設けられた筐体２ａと、表示部６が設けられた筐体２ｂがヒンジ９で回動自在に連結されて、前記操作部５と表示部６が対向するようにして２つに折り畳み可能なタイプである。また一方の筐体２ａ内には、撮影ユニット３が内蔵されており、前記撮影ユニット３は前記筐体２ａに形成された開口部２ａ１から露出する位置に配置されている。前記開口部２ａ１は、図２に示すように楕円形状である。
【００２０】
図２に示すように、撮影ユニット３は、撮像部材（カメラ）３ａと照明部材３ｂがＸ方向に互いに並列に設けられ、各部材３ａ，３ｂが前記開口部２ａ１から露出している。前記撮像部材３ａは、例えば光を電気信号に変換するＣＣＤ（Ｃｈａｒｇｅ  Ｃｏｕｐｌｅｄ  Ｄｅｖｉｃｅ）、レンズなどの光学部材及び合成樹脂製の保護板が奥側から順に設けられて構成されたものである。前記照明部材３ｂは、撮像部材３ａで撮影するときに発光させて撮影対象を明るく照らすことができる発光素子で構成されている。
【００２１】
なお、前記撮影ユニット３は、静止画のみを撮影することのできる素子であってもよく、あるいは静止画と動画の双方を撮ることのできるものであってもよい。また照明部材３ｂは、連続的に発光するライトに限らず、撮影時にのみ発光するストロボであってもよい。また照明部材３ｂは鏡面加工された面であってもよい。
【００２２】
図２に示すように、前記携帯電話１０は、前記開口部２ａ１の全体を覆うことができる開閉扉１１と、この開閉扉１１を駆動する磁気駆動装置１２を有している。前記開閉扉１１は、前記開口部２ａ１の全体を覆うことができる楕円形状で、撮像部材３ａと照明部材３ｂの双方を覆い隠すことができるようになっている。図１に示すように、前記開閉扉１１と磁気駆動装置１２は、それぞれ筐体２ａの裏面２ａ２に沿って設けられている。
【００２３】
図６に示すように、前記磁気駆動装置１２は、下カバー１３、上カバー（固定部）１４及びスライド部材（可動子）１５を有している。前記下カバー１３と上カバー１４は、それぞれ薄板状の部材により形成されている。前記下カバー１３は、Ｘ１側とＸ２側の各端部が垂直Ｚ１側に折り曲げられた折曲片１３ａ，１３ａ（一方は図示していない）が形成されて、前記上カバー１４は、Ｘ１側とＸ２側の各端部が垂直Ｚ２側に折り曲げられた折曲片１４ａ，１４ａ（一方は図示していない）が形成され、前記上カバー１４の折曲片１４ａ，１４ａが前記下カバー１３の折曲片１３ａ，１３ａの内側に位置するようにして重ねられている。これにより、下カバー１３と上カバー１４との間にはＺ方向に寸法の小さい空間１６が形成されている。なお、前記下カバー１３と上カバー１４は、いずれも鉄（Ｆｅ）やフェライトなどの磁性材料で形成されている。
【００２４】
本実施の形態の可動して機能する前記スライド部材１５は、非磁性材料で薄板状のものを折り曲げて形成したものであり、Ｘ１側の端部とＸ２側の端部がそれぞれＬ字状に外側に折り曲げられたガイド片１５ａ，１５ａを有している。図６において、一方のガイド片１５ａはＸ２側に折り曲げられ、図示していない他方のガイド片１５ａはＸ１側に折り曲げられている。このように形成されたガイド片１５ａの先端が、前記上カバー１４に形成されたガイド穴１４ａ１に挿入されて、前記スライド部材１５がＹ１−Ｙ２方向に摺動自在に支持されている。
【００２５】
図２と図６などに示すように、前記上カバー１４の内面には、薄板状で且つ四角形状のマグネットＭがＸ方向の中心よりもＸ１側寄りに固定されている。図２に示すように本実施の形態では、前記マグネットＭは、Ｙ方向の中心よりもＹ１側がＮ極に磁化された着磁面Ｍｎが形成され、Ｙ２側がＳ極に磁化された着磁面Ｍｓが形成されている。前記マグネットＭは、例えばＳｍ−Ｆｅ−Ｎ系の希土類窒化マグネットによりスクリーン印刷やタンポ印刷などで形成されている。
【００２６】
図２と図６などに示すように、前記スライド部材１５には、前記マグネットＭに対向する側に、コイルＣ１が設けられている。前記コイルＣ１は、銅製の線材などで前記マグネットＭの表面と平行な方向へ巻回して環状に形成されている。前記コイルＣ１では、スライド部材１５の移動方向に交叉する垂直方向へ互いに相反する方向へ流れる第１の電流路Ｃ１ａと第２の電流路Ｃ１ｂが形成されている。
【００２７】
なお、本実施の形態の磁気駆動装置１２では、スライド部材１５が図２や図３に示す位置が第１の位置である収納姿勢であり、図４や図５に示す位置が第２の位置である突出姿勢である。前記スライド部材１５が前記第１の位置である収納姿勢にあるときあるいは第１の位置から第２の位置である突出姿勢に移動したときに、前記コイルＣ１の第１の電流路Ｃ１ａは、前記マグネットＭの着磁面Ｍｎに常に対向するとともに、前記第２の電流路Ｃ１ｂは着磁面Ｍｓに常に対向するように設定されている。
【００２８】
本実施の形態では、前記コイルＣ１とマグネットＭとスライド部材１５と上カバー１４とで第１の磁気駆動手段が構成されている。
【００２９】
図２と図６などに示すように、前記スライド部材１５のＺ１側の表面には、Ｘ２側の端部に板状のコア部材２０が設けられている。前記コア部材２０の周囲には、銅線などで形成された線材が複数回巻回されて形成されたロック解除用のコイルＣ２が設けられている。前記コア部材２０は、前記ロック解除用のコイルＣ２に対してＹ１方向及びＹ２方向にそれぞれ突出しており、このコア部材２０の突出した各端部２０ａ，２０ｂに、それぞれＬ字状に形成されたヨーク２１ａ，２１ｂの基端がネジ２２ａ，２２ｂによってスライド部材１５にネジ固定されている。このとき、前記コア部材２０とヨーク２１ａ，２１ｂで形成されてＸ−Ｙ平面視したときの形状がＣ字形状であり、前記ヨーク２１ａの先端とヨーク２１ｂの先端との対向部に隙間２３が形成されている。なお、本実施の形態では前記コア部材２０とヨーク２１ａ，２１ｂとが別々に形成されているが、一体に形成されていてもよい。
【００３０】
また、前記スライド部材１５上には、Ｌ字状に形成されたロック部材２４が設けられている。このロック部材２４は、スライド部材１５上のＹ２側の縁部からＹ１方向へ延びて形成され、前記スライド部材１５の基端が軸２５によって回動自在に支持されている。また前記ロック部材２４の先部には、Ｘ２側の縁部がＺ２側に折り曲げられた吸着片２４ａが、前記ヨーク２１ａ，２１ｂに対向して形成されている。さらにロック部材２４の先端のＸ１側の縁部には、前記吸着片２４ａとは逆側であるＺ１側に折り曲げられたロック片２４ｂが形成され、このロック片２４ｂが前記上カバー１４に形成されたロック穴２６から突出している。
【００３１】
図２に示すように、前記ロック穴２６は、Ｙ方向に細長い形状であり、その穴のＹ１側とＹ２側にそれぞれＸ１方向に突出するロック凹部２６ａ，２６ｂを有している。前記ロック凹部２６ａ，２６ｂのＹ方向の長さ寸法は、前記ロック片２４ｂのＹ方向の長さ寸法とほぼ同じ寸法に形成されて、前記ロック片２４ｂが各ロック凹部２６ａ，２６ｂ内に侵入可能となっている。
【００３２】
なお、本実施の形態では、コア部材２０、ヨーク２１ａ，２１ｂ及びロック解除用のコイルＣ２により第２の磁気駆動手段が構成されている。
【００３３】
図７に示すように、前記コイルＣ１とロック解除用のコイルＣ２は、並列に接続された回路として形成されている。前記両コイルＣ１とＣ２は、２本の導電性の線材を組み合わせて形成してもよいが、１本の導電性の線材で形成することもできる。この回路では、互いに逆向きの電流Ｉａ，Ｉｂを与えることができるように図示しない制御部によって制御可能となっている。
【００３４】
次に、前記磁気駆動装置１２の動作について説明する。
図２に示す状態では、スライド部材１５は、下カバー１３と上カバー１４との間の空間１６内に全体が収納された第１の位置にある。第１の位置では、ロック部材２４は、マグネットＭの側面ｍ１（図２と図６等参照）から発せられる吸引力によって軸２５を支点として時計回り方向へ回動させられて、ロック部材２４に形成されたロック片２４ｂが、前記スライド穴２５のＹ２側のロック凹部２６ａ内に挿入されている。このためスライド部材１５は、Ｙ１方向へはスライドしないように規制されている。
【００３５】
図２に示す状態において、コイルＣ１に電流Ｉが与えられると、これと同時にロック解除用のコイルＣ２には、コア部材２０とヨーク２１ａ，２１ｂに符号Ｂ１で示す向きの磁界が発生するように電流が与えられる。このとき発生させられる磁界Ｂ１は、ヨーク２１ａとヨーク２１ｂとの間に隙間２３が形成されているため、図３に矢印で示すように、磁界Ｂ１は、ヨーク２１ａからロック部材２４側を通ってヨーク２１ｂへと形成される。これにより、ヨーク２１ａ，２１ｂに対向して形成されたロック部材２４の吸着片２４ａはヨーク２１ａ，２１ｂ側に吸引されて、ロック部材２４のロック片２４ｂがロック凹部２６ａから抜け出てロックが解除される。
【００３６】
一方、前記コイルＣ１に電流Ｉａが与えられると、着磁面Ｍｎに対向する第１の電流路Ｃ１ａでは、電流の流れる向きはＸ１方向となり、着磁面Ｍｓに対向する第２の電流路Ｃ１ｂでは、Ｘ２方向となる。また、この前記第１の電流路Ｃ１ａでは、マグネットＭの着磁面ＭｎによってＺ１方向からＺ２方向に貫く下向きの磁界が発生させられ、第２の電流路Ｃ１ｂでは、着磁面ＭｓによってＺ２方向からＺ１方向に貫く上向きの磁界が発生させられる。よって、コイルＣ１に対して、電流Ｉａの向きと、磁界Ｂ１の向きとの関係において、フレミング左手の法則により、コイルＣ１の第１の電流路Ｃ１ａでは力Ｆ１がＹ１方向に作用し、第２の電流路Ｃ１ｂでは力Ｆ２がＹ１方向へ作用して、その結果、スライド部材１５は、力（Ｆ１＋Ｆ２）によってＹ１方向へと移動させられる。
【００３７】
なお、前記コイルＣ１とロック解除用のコイルＣ２には、同時に電流が与えられることになるが、本実施の形態ではロック部材２４の質量とスライド部材１５の質量とではロック部材２４の質量の方がより小さく形成されているため、ロック部材２４のイナーシャがスライド部材１５のイナーシャよりも小さくなって、ロック部材２４が先にロックを解除させられ、その後にスライド部材１５が動作させられる。
【００３８】
そして、図４に示すように、ロック部材２４がロック穴２６のＹ１側の端部まで移動させられて、ロック部材２４はそれ以上Ｙ１方向へ移動するのを規制される。この状態に至ったときに、コイルＣ１とロック解除用のコイルＣ２の通電が解除されるが、このときコア部材２０とヨーク２１ａ，２１ｂに発生していた磁界Ｂ１が消滅して、マグネットＭの側面ｍ１から発せられる吸引力によってロック部材２４が時計方向へ回動させられて、ロック片２４ｂがロック凹部２６ｂ内に挿入されて、図５に示すロック状態となる。これにより、スライド部材１５は第２の位置である突出姿勢の状態でロックされる。
【００３９】
また、スライド部材１５を第２の位置から第１の位置へ戻す場合には、図５に示す状態において、コイルＣ１とロック解除用のコイルＣ２に対して前記とは逆向きの電流が与えられる。このときコア部材２０とヨーク２１ａ，２１ｂには、図４に示す向きの前記とは逆の磁界Ｂ２が発生させられて、ロック部材２４の吸着片２４ａがヨーク２１ａ，２１ｂ側に吸引されて、ロック片２４ｂがロック凹部２６ｂから抜け出る。
【００４０】
そして、第１の電流路Ｃ１ａでは、Ｘ２方向に電流が流れて、前記と同様にして第１の電流路Ｃ１ａにはＹ２側を向く力Ｆ３が働き、第２の電流路Ｃ１ｂでは、Ｘ１方向に電流が流れて、第２の電流路Ｃ１ｂにはＹ２側を向く力Ｆ４が働いて、スライド部材１５は力（Ｆ３＋Ｆ４）によってＹ２方向へ移動させられる。
【００４１】
なお、ロック解除用のコイルＣ２に電流が与えられたときに生じる磁界Ｂ２は、ロック解除用のコイルＣ２に電流が与えられたときに生じる磁界Ｂ１とは互いに逆向きであるが、磁界Ｂ１，Ｂ２がいずれの向きであってもロック部材２４を吸引できるようになっている。よって、コイルＣ１とロック解除用のコイルＣ２とを別々の回路で制御しなくても、スライド部材１５を第１の位置（収納姿勢）と第２の位置（突出姿勢）との間で移動させることができ、さらには各位置（各姿勢）においてスライド部材１５をロックさせることが可能になる。
【００４２】
ロック片２４ｂがロック穴２６内をＹ２方向へ移動させられて、Ｙ２側の端部まで移動させられる。そして、各コイルＣ１，Ｃ２に対する通電が解除されて、ヨーク２１ａ，２１ｂに発生する磁界が消滅して、マグネットＭの側面ｍ１の吸引力によってロック部材２４が引き寄せられて、スライド部材１５がロックされる。
【００４３】
本実施の形態では、前記磁気駆動装置１２を携帯電話１０に搭載して使用できるが、前記スライド部材１５に連結された開閉扉１１によって前記撮影ユニット３を露出させる開放姿勢と覆い隠す閉鎖姿勢との間で駆動させることができるようになっている。
【００４４】
前記磁気駆動装置１２に設けられたスライド部材１５には、Ｙ１側の縁部に連結アーム３０がネジ３１，３１を用いて固定されている。連結アーム３０は、先端に向かうに従ってＸ１方向に傾斜する形状である。前記連結アーム３０の先方には、一対の細長形状の板材３２，３３が互いに交叉するようにして設けられており、前記一方の板材３２には連結回動軸３４が固定され、他方の板材３３には前記連結回動軸３４が摺動自在に挿入される長穴３３ａが形成されている。また前記各板材３２，３３の基端は携帯電話１０の筐体側に固定された固定軸３５，３６に回動自在に支持されている。
【００４５】
前記開閉扉１１は、前記撮影ユニット３の全体を覆い隠すことができる形状であり、その裏面にはＹ２側寄りにＸ方向に直線状に延びる案内溝３７が形成されている。この案内溝３７内に、前記板材３２，３３の先端に固定された案内軸３８，３９がそれぞれ摺動自在に挿入されている。
【００４６】
前記連結アーム３０には、その先端に軸部３０ａが固定されて、前記軸部３０ａが前記板材３２に回動自在に連結されている。よって、図２に示す開放姿勢において、前記スライド部材１５がＹ１方向へ移動させられることで、前記板材３２が固定軸３５を支点として反時計回り方向へ、前記板材３２に連動して動作する板材３３が固定軸３６を支点として時計回り方向へそれぞれ回動させられ、さらに前記案内軸３８，３９がそれぞれ案内溝３７内を互いに接近する方向へ、そして互いに離れる方向へ移動させられて、図４に示すように、開閉扉１１が、前記開口部２ａ１から露出している撮影ユニット３の全体を覆う閉鎖姿勢へと移行させられる。
【００４７】
また、スライド部材１５が第２の位置（突出姿勢）から第１の位置（収納姿勢）に移行させられると、前記板材３２が時計回り方向へ、板材３３が反時計方向へそれぞれ回動させられて、それと同時に案内軸３８，３９が案内溝３７内を互いに接近しそして離れる方向へ移動させられて、前記開閉扉１１が前記撮影ユニット３の全体を開口部２ａ１から露出させる開放姿勢へと移行させられる。
【００４８】
このように、本実施の形態では、磁気駆動装置１２を厚み寸法を薄く形成できるので、携帯電話１０のような薄型の筐体内に内蔵できるようになり、筐体２ａの外側に開閉扉１１が突出することがない。
【００４９】
図８及び図９は、本発明の第２の実施の形態の磁気駆動装置を示す平面図であり、図８は閉鎖姿勢、図９は開放姿勢を示している。また図８と図９は、それぞれ携帯電話１０を折り畳んだ状態を示し、携帯電話１０を各種の操作部５が設けられた筐体２ｂの側から内部を透視したときの平面図である。本実施の形態の携帯電話１０では、筐体２ａ内に撮像部材４のみが内蔵されているものであり、この撮像部材４が筐体２ａに設けられた円形の開口部から露出させられている。なお、本実施の形態では、開閉扉４０を駆動させる第１の磁気駆動手段や第２の磁気駆動手段などの構成は、前記と同様であるため同一の符号を付してその説明を省略する。
【００５０】
本実施の形態の携帯電話１０には、撮像部材４を覆い隠すことのできる開閉扉４０が設けられている。この開閉扉４０は、開口部を覆うことのできる円形状の円形部４０ａと、この円形部４０ａから一方向へ延びる腕部４０ｂで構成されている。また前記腕部４０ｂの基端側は、筐体２ａに固定された固定軸４１に回動可能に支持されている。
【００５１】
スライド部材１５には、板状の連結アーム４２がネジ４３，４３で連結されている。前記連結アーム４２には、連結軸４２ａが固定され、前記連結軸４２ａが前記腕部４０ｂに長手方向に短く形成された長穴４０ｃに摺動自在に挿入されている。
【００５２】
前記開閉扉４０には、引張コイルバネ４４が設けられ、この引張コイルバネ４４の一端が前記筐体２ａに掛止され、他端が前記腕部４０ｂに掛止されて、前記開閉扉４０が常に時計回り方向へ付勢された状態に設定されている。開閉扉４０は、携帯電話１０のカメラ機能がオンになっていないときには、前記引張コイルバネ４４の弾性収縮力によって固定軸４１を支点として時計回り方向へ回動させられて、開口部２ａ１から露出する撮像部材４を完全に覆って閉鎖姿勢となっている。
【００５３】
例えば、携帯電話１０の表示部６に表示されたメニュー画面でカメラ機能がオンに設定されると、スライド部材１５が磁気駆動装置１２の駆動力によってＹ２方向へ移動させられるが、このときスライド部材１５に連結された連結アーム４２がＹ２方向へ移動させられるとともに、連結軸４２ａが長穴４０ｃ内を一端から他端へ移動させられて、開閉扉４０が開放姿勢へと移行する。その状態が図９である。
【００５４】
図８に示す状態から図９に示す状態へ移行させる際には、コイルＣ１に電流Ｉｃが与えられると、ロック片２４ｂがロック凹部２６から外れ、コイルＣ１の第１の電流路Ｃ１ａ，第２の電流路Ｃ１ｂにそれぞれ力Ｆ５，Ｆ６が作用することで、開閉扉４０がＹ２方向へ引張コイルバネ４４の弾性復帰力に反発しながら移動させられる。ロック部材２４のロック片２４ｂがロック凹部２６ａの位置まで移動させられると、ロック解除用のコイルＣ２とコイルＣ１に対する通電状態が解除されて、ヨーク２１ａ，２１ｂによるロック部材２４の吸着片２４ａを吸引する吸引力が消滅して、ロック部材２４はマグネットＭによる吸引力によって、ロック片２４ｂがロック凹部２６ａ内へ入り込んでロック状態となる。
【００５５】
図９に示すように、開閉扉４０は、ロック部材２４のロック片２４ｂがロック凹部２６ａ内に位置することで、Ｙ１方向へ戻るのが規制されている。ただし、ロック片２４ｂとロック凹部２６ａとの機構に加えて、さらに別のロックする機構を設けてもよい。
【００５６】
また、コイルＣ１に電流Ｉｃとは逆向きの電流が流れることで、スライド部材１５にはＹ１方向への移動力が発揮される。また、本実施の形態でも図７に示すように、ロック解除用のコイルＣ２に両方向の向きの電流が与えられたとしても、ロック部材２４をヨーク２１ａ，２１ｂ側に吸引させる吸引力が発生させられる。
【００５７】
なお、上記した各実施の形態では、カメラ付きの携帯電話に設けられたカメラレンズを開閉するための開閉扉を駆動させる場合について説明しているが、必ずしもこれに限られるものではなく、例えば、カメラ付きのＰＤＡ（パーソナルデジタルアシスタンス）等の他の携帯情報端末にも適用できることはもちろんである。
【００５８】
【発明の効果】
以上説明した本発明では、小型で薄型に形成することができ、しかも第１の位置と第２の位置の各位置においてロックすることができる。また、カメラ付き携帯電話などの薄型の筐体内に、カメラ部分を覆うことができる開閉扉とそれを駆動させる機構を内蔵できる。
【図面の簡単な説明】
【図１】第１の実施の形態の携帯電話の内部構造の一例を示す側面図、
【図２】開閉扉が開放状態で且つロック状態のときを示す平面図、
【図３】開閉扉が開放状態で且つロック解除状態のときを示す平面図、
【図４】開閉扉が閉鎖状態でロック解除状態を示す平面図、
【図５】開閉扉が閉鎖状態でロック状態を示す平面図、
【図６】図２の６−６線での一部切断断面図、
【図７】第１のコイルと第２のコイルの回路図
【図８】第２の実施の形態の携帯電話において、開閉扉が閉鎖姿勢の状態であるときを示す平面図、
【図９】第２の実施の形態の携帯電話において、開閉扉が開放姿勢の状態であるときを示す平面図、
【符号の説明】
Ｃ１  コイル
Ｃ１ａ  第１の電流路
Ｃ１ｂ  第２の電流路
Ｃ２  ロック解除用のコイル
Ｍ  マグネット
Ｍｎ，Ｍｓ  着磁面
２ａ  筐体
２ａ１  開口部
３  撮影ユニット
３ａ，４  撮像部材
１０  携帯電話
１１  開閉扉
１２  駆動部
１３  下カバー
１４  上カバー（固定部）
１５  スライド部材（可動子）
２０  コア部材
２１ａ，２１ｂ  ヨーク
２３  隙間
２４  ロック部材
２４ａ  吸着片
２４ｂ  ロック片
２６  ロック穴
２６ａ，２６ｂ  ロック凹部
【図１】
2004336101.tif 000003
【図２】
2004336101.tif 000004
【図３】
2004336101.tif 000005
【図４】
2004336101.tif 000006
【図５】
2004336101.tif 000007
【図６】
2004336101.tif 000008
【図７】
2004336101.tif 000009
【図８】
2004336101.tif 000010
【図９】
2004336101.tif 000011